(57)【要約】【課題】地盤の汚染範囲に通水することにより該汚染範囲の地下水を浄化する地下水浄化システムにおいて、汚染範囲が不透水層等の互層地盤に存在するような場合でも、深層側から地表面近傍までの汚染範囲の地下水を浄化できるようにする。【解決手段】地盤の汚染範囲Ａに通水することにより該汚染範囲Ａの地下水を浄化する地下水浄化システム１０であって、汚染範囲Ａを含む浄化対象領域を囲い、地表面から浄化対象領域の外周側の領域の地下水位Ｗ．Ｌ以深まで延びるように構築された遮水壁１２と、浄化対象領域の地表面を覆う遮水シート４０と、浄化対象領域の地表面から汚染範囲Ａ以深まで延び、浄化対象領域の地表面から汚染範囲Ａ以深までの範囲で注水する注水井戸３０と、浄化対象領域の地表面から汚染範囲Ａ以深まで延び、内部が負圧にされ、汚染範囲Ａ以深から揚水する揚水井戸２０とを備える。【選択図】図１
2015217351.tif 000002
【特許請求の範囲】
【請求項１】
地盤の汚染範囲に通水することにより該汚染範囲の地下水を浄化する地下水浄化システムであって、
前記汚染範囲を含む浄化対象領域を囲い、地表面から該浄化対象領域の外周側の領域の地下水位以深まで延びるように構築された遮水壁と、
前記浄化対象領域の地表面を覆う気密性の有る層と、
前記浄化対象領域の地表面から前記汚染範囲以深まで延び、前記浄化対象領域の地表面から前記汚染範囲以深までの範囲で注水する注水井戸と、
前記浄化対象領域の地表面から前記汚染範囲以深まで延び、内部が負圧にされ、前記汚染範囲以深から揚水する揚水井戸と
を備える地下水浄化システム。
【請求項２】
前記遮水壁は、前記汚染範囲よりも深層側に存在する難透水層まで延びるように構築されている請求項１に記載の地下水浄化システム。
【請求項３】
前記注水井戸を通して前記浄化対象領域に注水する注水系統と、
前記注水井戸を通して前記浄化対象領域に給気する給気系統と
を備える請求項１又は請求項２に記載の地下水浄化システム。
【請求項４】
地盤の汚染範囲に通水することにより該汚染範囲の地下水を浄化する地下水浄化工法であって、
前記汚染範囲を含む浄化対象領域の地表面から該浄化対象領域の外周側の領域の地下水位以深までを遮水壁で囲い、前記浄化対象領域の地表面を気密性の有る層で覆った状態で、前記浄化対象領域の地表面から前記汚染範囲以深まで延びる注水井戸により、前記浄化対象領域の地表面から前記汚染範囲以深までの範囲で注水すると共に、前記浄化対象領域の地表面から前記汚染範囲以深まで延びる、内部を負圧にした揚水井戸により、前記浄化対象領域の前記汚染範囲以深から揚水する、地下水浄化工法。
【請求項５】
地盤の汚染範囲に通水することにより該汚染範囲の地下水を浄化する地下水浄化工法であって、
前記汚染範囲を含む浄化対象領域の地表面から該浄化対象領域よりも深層側に存在する難透水層までを遮水壁で囲い、前記浄化対象領域の地表面を気密性の有る層で覆った状態で、前記浄化対象領域の地表面から前記汚染範囲以深まで延びる、内部を負圧にした揚水井戸により、前記浄化対象領域の前記汚染範囲以深から揚水する揚水工程と、前記浄化対象領域の地表面から前記汚染範囲以深まで延びる注水井戸により、前記浄化対象領域の地表面から前記汚染範囲以深までの範囲で注水する注水工程とを行う、地下水浄化工法。
【請求項６】
前記揚水工程では、前記注水井戸を通して前記浄化対象領域に給気し、
前記注水工程では、前記揚水井戸を通して前記浄化対象領域から吸気する、請求項５に記載の地下水浄化工法。
【発明の詳細な説明】
【技術分野】
【０００１】
本発明は、地盤の汚染範囲に通水することにより該汚染範囲の地下水を浄化する地下水浄化システム、及び地下水浄化工法に関する。
【背景技術】
【０００２】
土壌汚染が生じた汚染範囲に通水することにより該汚染範囲を浄化する土壌浄化システム（汚染範囲の地下水を浄化する地下水浄化システム）として、汚染範囲を遮水壁で囲み、汚染範囲の地表面を気密シートで覆った状態で、汚染範囲に通水するものが知られている（例えば、特許文献１参照）。特許文献１に記載の土壌浄化システムでは、注水井戸を汚染範囲より深層側まで構築し、真空ポンプが接続された揚水井戸を気密シートの直下の不飽和領域に構築し、注水井戸で汚染範囲に注水しつつ、揚水井戸で気密シートの直下の不飽和領域から吸引する。これにより、地表面近傍が負圧になって該負圧により地下水が吸引されることで、地表面の近傍にも通水でき、地表面の近傍の汚染も浄化できる。
【先行技術文献】
【特許文献】
【０００３】
【特許文献１】特開２００７−３８１７５号公報
【発明の概要】
【発明が解決しようとする課題】
【０００４】
特許文献１に記載の土壌浄化システムでは、汚染範囲が透水層に存在し、該透水層の深層側から浅層側へと上向きに通水することにより、汚染範囲を浄化している。しかしながら、汚染範囲が不透水層あるいは難透水層等の互層地盤に存在する場合があり、この場合には、通水が不透水層あるいは難透水層等により遮られるため、本システムの採用が難しい。
【０００５】
本発明は、上記事情に鑑みてなされたものであり、地盤の汚染範囲に通水することにより該汚染範囲の地下水を浄化する地下水浄化システムにおいて、汚染範囲が不透水層等の互層地盤に存在するような場合でも、深層側から地表面近傍までの汚染範囲の地下水を浄化できるようにすることを課題にするものである。
【課題を解決するための手段】
【０００６】
上記課題を解決するために、本発明に係る地下水浄化システムは、地盤の汚染範囲に通水することにより該汚染範囲の地下水を浄化する地下水浄化システムであって、前記汚染範囲を含む浄化対象領域を囲い、地表面から該浄化対象領域の外周側の領域の地下水位以深まで延びるように構築された遮水壁と、前記浄化対象領域の地表面を覆う気密性の有る層と、前記浄化対象領域の地表面から前記汚染範囲以深まで延び、前記浄化対象領域の地表面から前記汚染範囲以深までの範囲で注水する注水井戸と、前記浄化対象領域の地表面から前記汚染範囲以深まで延び、内部が負圧にされ、前記汚染範囲以深から揚水する揚水井戸とを備える。
【０００７】
前記地下水浄化システムにおいて、前記遮水壁は、前記汚染範囲よりも深層側に存在する難透水層まで延びるように構築されてもよい。
【０００８】
前記地下水浄化システムは、前記注水井戸を通して前記浄化対象領域に注水する注水系統と、前記注水井戸を通して前記浄化対象領域に給気する給気系統とを備えてもよい。
【０００９】
また、本発明に係る地下水浄化工法は、地盤の汚染範囲に通水することにより該汚染範囲の地下水を浄化する地下水浄化工法であって、前記汚染範囲を含む浄化対象領域の地表面から該浄化対象領域の外周側の領域の地下水位以深までを遮水壁で囲い、前記浄化対象領域の地表面を気密性の有る層で覆った状態で、前記浄化対象領域の地表面から前記汚染範囲以深まで延びる注水井戸により、前記浄化対象領域の地表面から前記汚染範囲以深までの範囲で注水すると共に、前記浄化対象領域の地表面から前記汚染範囲以深まで延びる、内部を負圧にした揚水井戸により、前記浄化対象領域の前記汚染範囲以深から揚水する。
【００１０】
また、本発明に係る地下水浄化工法は、地盤の汚染範囲に通水することにより該汚染範囲の地下水を浄化する地下水浄化工法であって、前記汚染範囲を含む浄化対象領域の地表面から該浄化対象領域よりも深層側に存在する難透水層までを遮水壁で囲い、前記浄化対象領域の地表面を気密性の有る層で覆った状態で、前記浄化対象領域の地表面から前記汚染範囲以深まで延びる、内部を負圧にした揚水井戸により、前記浄化対象領域の前記汚染範囲以深から揚水する揚水工程と、前記浄化対象領域の地表面から前記汚染範囲以深まで延びる注水井戸により、前記浄化対象領域の地表面から前記汚染範囲以深までの範囲で注水する注水工程とを行う。
【００１１】
前記地下水浄化工法において、前記揚水工程では、前記注水井戸を通して前記浄化対象領域に給気し、前記注水工程では、前記揚水井戸を通して前記浄化対象領域から吸気してもよい。
【発明の効果】
【００１２】
本発明によれば、地盤の汚染範囲に通水することにより該汚染範囲の地下水を浄化する地下水浄化システムにおいて、汚染範囲が不透水層等の互層地盤に存在するような場合でも、深層側から地表面近傍までの汚染範囲の地下水を浄化できる。
【図面の簡単な説明】
【００１３】
【図１】一実施形態に係る地下水浄化システムを示す立断面図である。
【図２】一実施形態に係る地下水浄化システムの揚水井戸、揚水井戸及び注水井戸の配置を示す平面図である。
【図３】一実施形態に係る地下水浄化システムを構築する手順を説明する立断面図である。
【図４】一実施形態に係る地下水浄化工法を説明する立断面図である。
【図５】他の実施形態に係る地下水浄化システムを示す立断面図である。
【図６】他の実施形態に係る地下水浄化システムを構築する手順を説明する立断面図である。
【図７】他の実施形態に係る地下水浄化工法を説明する立断面図である。
【図８】他の実施形態に係る地下水浄化工法を説明する立断面図である。
【発明を実施するための形態】
【００１４】
以下、本発明の一実施形態を、図面を参照しながら説明する。図１は、一実施形態に係る地下水浄化システム１０を示す立断面図であり、図２は、該地下水浄化システム１０の揚水井戸２０（黒丸で図示）、注水井戸３０（白丸で図示）の配置を示す平面図である。図１に示すように、地下水浄化システム１０は、遮水壁１２で囲まれた領域（以下、浄化対象領域という）に存在する汚染範囲Ａを、通水洗浄により浄化する地下水浄化工法（土壌浄化工法）を実施するためのものである。地下水浄化システム１０が浄化対象とする地盤は、透水層と不透水層とが交互に重なった互層地盤であり、汚染範囲Ａが地表面の近傍から地下水位Ｗ．Ｌ以深まで広がった地盤である。なお、ここでいう地下水位Ｗ．Ｌは、通水洗浄を開始する前の、浄化対象領域の内側と外側との双方における地下水位であり、以下、第１の地下水位という。
【００１５】
地下水浄化システム１０は、浄化対象領域を囲うように構築された遮水壁１２と、浄化対象領域に設けられた複数の揚水井戸２０及び複数の注水井戸３０と、浄化対象領域の地表面上に敷設された遮水シート４０と、地上に設置された注水設備５０、真空吸引設備６０及び水処理設備６１とを備えている。遮水壁１２は、遮水性を有する鋼矢板壁等であり、地表面から第１の地下水位以深まで達するように構築されている。
【００１６】
揚水井戸２０は、井戸内を真空に保ちながら水中ポンプ２２で揚水するバキュームディープウェル（真空ディープウェル）、スーパーウェルポイント（登録商標）、ハイパーディープウェル（登録商標）等の重力排水と強制排水とを組み合わせたもの（本実施形態では真空ディープウェルを採用）であり、地表面から汚染範囲Ａの最深部以深まで延びている。この揚水井戸２０は、孔２６内に配されたケーシング２３と、ケーシング２３内に配された水中ポンプ２２、揚水管２５及び吸引管２８と、ケーシング２３と孔２６の壁面との間に充填されたフィルター材２７と、ケーシング２３の天端を密閉する蓋２９とを備える。
【００１７】
ケーシング２３の下端にはスクリーン２４が設けられており、このスクリーン２４内に水中ポンプ２２が設置されている。また、揚水管２５の一端は水中ポンプ２２に接続され、揚水管２５の他端は、ヘッダーパイプ６２に接続されている。このヘッダーパイプ６２は、水処理設備６１に接続されている。
【００１８】
また、吸引管２８の一端は、蓋２９を通してケーシング２３内に挿入され、吸引管２８の他端は、ヘッダーパイプ６４に接続されている。このヘッダーパイプ６４は、真空吸引設備６０の真空ポンプ（図示省略）に接続されている。ここで、複数の揚水井戸２０の吸引管２８がヘッダーパイプ６４を介して単一の真空ポンプに接続されている。
【００１９】
注水井戸３０は、地表面から揚水井戸２０と同程度の深度（汚染範囲Ａの最深部以深）まで延びている。この注水井戸３０は、孔３６内に配されたケーシング３３と、ケーシング３３内に配された注水管３５と、ケーシング３３と孔３６の壁面との間に充填されたフィルター材３７と、ケーシング３３の天端を密閉する蓋３９とを備える。ケーシング３３の下端にはスクリーン３４が設けられている。また、注水管３５の一端は、蓋３９を通してケーシング３３内に挿入され、注水管３５の他端は、ヘッダーパイプ５２に接続されている。このヘッダーパイプ５２は、注水設備５０の注水ポンプ（図示省略）に接続されている。ここで、複数の注水井戸３０の注水管３５がヘッダーパイプ５２を介して単一の注水ポンプに接続されている。また、フィルター材３７の透水係数は、浄化対象領域の土壌の透水係数よりも大きく設定されている。なお、本実施形態ではフィルター材３７は砂利である。
【００２０】
遮水シート４０は、例えば、廃棄物処分場で使用される遮水シート等の気密性を有するシート材であり、遮水壁１２で囲まれた領域の地表面全体を覆うように設けられている。ここで、遮水シート４０には、ケーシング２３、３３の頭部が挿通された孔が形成されており、ケーシング２３、３３の頭部と遮水シート４０の孔の縁部との間は、シール材（図示省略）により密封されている。
【００２１】
図２に示すように、揚水井戸２０は、浄化対象領域に所定の規則性をもって点在しており、複数の注水井戸３０が、揚水井戸２０を囲うように配されている。本実施形態では、注水井戸３０は、ハニカム状（正六角形を隙間なく並べた形状）に配されており、揚水井戸２０は、正六角形状に配された複数の注水井戸３０の中心に配されている。ここで、注水井戸３０は、浄化対象領域の全体に点在しており、注水井戸３０同士の間隔と注水井戸３０と揚水井戸２０との間隔とは、共に所定間隔（例えば、約１０ｍ）に設定されている。
【００２２】
図１、図３は、本実施形態に係る地下水浄化システム１０を構築する手順を説明する立断面図である。まず、図３に示すように、遮水壁１２を地表面から第１の地下水位以深の深度に達するように構築する。次に、図１に示すように、揚水井戸２０及び注水井戸３０を遮水壁１２の内側の地盤中に構築し、遮水壁１２の内側の地表面に遮水シート４０を敷設する。また、注水設備５０、真空吸引設備６０及び水処理設備６１を地上に設置する。
【００２３】
遮水シート４０には、揚水井戸２０及び注水井戸３０の位置毎に孔を空けておき、遮水シート４０を敷設する際に、ケーシング２３、３３の頭部を該孔に挿通し、ケーシング２３、３３の頭部と遮水シート４０の孔の縁部との間をシール材で密封する。また、遮水シート４０の外周縁部を遮水壁１２に接合し、これらの間を密封する。その後、複数の揚水井戸２０の揚水管２５をヘッダーパイプ６２に接続し、複数の揚水井戸２０の吸引管２８をヘッダーパイプ６４に接続する。また、複数の注水井戸３０の注水管３５をヘッダーパイプ５２に接続する。
【００２４】
また、揚水井戸２０を構築する工程では、孔２６を地表面から汚染範囲Ａの最深部以深に達するように掘削し、ケーシング２３を孔２６に挿入する。そして、水中ポンプ２２と揚水管２５とをケーシング２３内に設置し、ケーシング２３と孔２６の孔壁との間にはフィルター材２７を充填する。また、ケーシング２３の天端を、揚水管２５及び吸引管２８を取り付けた蓋２９で封止する。
【００２５】
また、注水井戸３０を構築する工程では、孔３６を地表面から汚染範囲Ａの最深部以深に達するように掘削し、ケーシング３３を孔３６に挿入する。そして、注水管３５をケーシング３３内に設置し、ケーシング３３と孔３６の孔壁との間にはフィルター材３７を充填する。また、ケーシング３３の天端を、注水管３５を取り付けた蓋３９で封止する。
【００２６】
以上のようにして地下水浄化システム１０を構築した後、図４に示すように、浄化対象領域の通水洗浄を実施する。この通水洗浄工程では、真空吸引設備６０の真空ポンプを作動させて揚水井戸２０内を真空状態にし、水中ポンプ２２を作動させて浄化対象領域の地下水を揚水すると共に、注水設備５０を作動させて、注水井戸３０から浄化対象領域に注水する。
【００２７】
ここで、遮水シート４０が、浄化対象領域の地表面を気密状態となるように覆い、遮水壁１２が、地表面から第１の地下水位以深まで延びていることにより、遮水シート４０と遮水壁１２と浄化対象領域の地下水とで囲まれた気密状態の空間が形成されている。このため、揚水井戸２０による真空吸引が開始されると、浄化対象領域における地表面の近傍の不飽和層が負圧になる。これによって、浄化対象領域の地下水が、不飽和層の負圧により吸い上げられると共に、遮水壁１２の下方において浄化対象領域の外側から内側へ地下水が流入することにより、浄化対象領域の地下水位が地表面近傍まで上昇する。
【００２８】
一方、注水設備５０から注水井戸３０内に給水されると、下端のスクリーン３４からフィルター材３７を通して地盤中に注水される。ここで、浄化対象範囲における地表面の近傍の不飽和層に負圧が生じていることにより、また、フィルター材３７の透水係数が地盤の透水係数よりも大きいことにより、スクリーン３４からフィルター材３７に送出された水が、フィルター材３７の下端から天端まで行き亘る。これにより、浄化対象領域における注水井戸３０の下端から天端までの範囲において注水がなされる。
【００２９】
即ち、揚水井戸２０と注水井戸３０との間において、これらの下端から地表面の近傍までの範囲で、注水井戸３０から揚水井戸２０への横方向の水の流れが形成される。これによって、透水層と不透水層とが交互に重なった互層地盤において、汚染範囲Ａの最深部以深から地表面近傍までの広範囲で通水洗浄を実施でき、当該広範囲の汚染地下水ならびに汚染土壌を浄化できる。
【００３０】
図５は、他の実施形態に係る地下水浄化システム１００を示す立断面図である。この図に示すように、地下水浄化システム１００により地下水及び土壌の浄化を実施する地盤は、透水層と不透水層とが交互に重なった互層地盤であって、汚染範囲Ａが地表面の近傍から第１の地下水位以深まで広がった地盤である。また、当該地盤における汚染範囲Ａの最深部以深には、難透水層１０１が存在している。
【００３１】
地下水浄化システム１００は、上述の実施形態の遮水壁１２に替えて遮水壁１１２を備え、上述の実施形態の注水井戸３０に替えて給気注水井戸１３０を備える。また、地下水浄化システム１００は、上述の実施形態の遮水シート４０に替えてアスファルト層１４０を備える。遮水壁１１２は、地表面から難透水層１０１まで延びており、浄化対象領域を囲っている。
【００３２】
注水管３５の一端は、蓋３９を通してケーシング３３内に挿入され、注水管３５の他端は、ヘッダーパイプ５２を介して注水設備５０に接続されている。ここで、複数の給気注水井戸１３０の注水管３５の他端近傍から分岐管１７２が分岐している。この分岐管１７２の先端には、開閉弁１７４が設けられており、開閉弁が開いた状態で給気注水井戸１３０内が大気に開放され、開閉弁が閉じた状態で給気注水井戸１３０内が気密状態となる。そして、開閉弁１７４が開いた状態で真空吸引設備６０が作動されて浄化対象領域が負圧になることにより、分岐管１７２及び注水管３５を通して吸気され、開閉弁１７４が閉じた状態で注水設備５０が作動されることにより、注水設備５０から注水管３５に水が供給される。
【００３３】
ここで、揚水井戸２０と給気注水井戸１３０との間隔は、上述の実施形態に比して広くなっており、揚水井戸２０と給気注水井戸１３０との単位面積当たりの本数は、上述の実施形態に比して少なくなっている。
【００３４】
図５、及び図６は、本実施形態に係る地下水浄化システム１０を構築する手順を説明する立断面図である。まず、図６に示すように、遮水壁１１２を地表面から難透水層１０１に達するように構築する。次に、図５に示すように、揚水井戸２０及び給気注水井戸１３０を遮水壁１１２の内側の地盤中に構築し、遮水壁１１２の内側の地表面にアスファルト層１４０を敷設する。
【００３５】
アスファルト層１４０は、ケーシング２３、３３の頭部が地表面に突出するように敷設し、ケーシング２３、３３の頭部の周囲をアスファルトで密封する。また、アスファルト層１４０の外周縁部と遮水壁１１２とを一体化させ、これらの間を密封する。その後、複数の揚水井戸２０の揚水管２５をヘッダーパイプ６２に接続し、複数の揚水井戸２０の吸気管２８をヘッダーパイプ６４に接続する。また、複数の給気注水井戸１３０の注水管３５をヘッダーパイプ５２に接続する。
【００３６】
以上のようにして地下水浄化システム１００を構築した後、浄化対象領域の地下水の浄化を実施する。この地下水浄化工程では、まず、図７に示すように、真空吸引設備６０の真空ポンプを作動させて揚水井戸２０内を真空状態にし、水中ポンプ２２を作動させて浄化対象領域の地下水を揚水すると共に、開閉弁１７４を開いた状態にして、給気注水井戸１３０から浄化対象領域に給気する。この際、遮水壁１１２が難透水層１０１まで延びていることにより、浄化対象領域の外周側から内周側へ地下水が流入しない状態で、浄化対象領域の地下水が揚水井戸２０から揚水される。これにより、遮水壁１１２の内側の浄化対象領域の地下水位Ｗ．Ｌが低下する。
【００３７】
ここで、アスファルト層１４０が、浄化対象領域の地表面を気密状態となるように覆っていることにより、揚水井戸２０の吸引力で外気が吸引されることがなく、揚水井戸２０の吸引力の全てが浄化対象領域内に作用する。また、地表面から汚染範囲Ａ以深までの範囲において、給気注水井戸１３０から揚水井戸２０への横方向の空気の流れが形成されることにより、浄化対象領域の地下水の揚水井戸２０への横方向の流れが促進される。これにより、浄化対象領域の地表面が通気可能な状態であったり、浄化対象領域に給気することなく浄化対象領域から吸引するのみであったりする場合に比して、短時間でより深い位置まで地下水位Ｗ．Ｌを低下できる。
【００３８】
次に、図８に示すように、汚染範囲Ａ以深まで地下水位を低下させた（汚染範囲Ａの間隙水を除去した）後、開閉弁１７４を閉じた状態で注水設備５０を作動させて給気注水井戸１３０から浄化対象領域に注水すると共に、真空吸引設備６０の真空ポンプを作動させて揚水井戸２０から空気を吸引する。
【００３９】
注水設備５０から給気注水井戸１３０内に給水されると、下端のスクリーン３４からフィルター材３７を通して地盤中に注水される。ここで、フィルター材３７の透水係数が浄化対象領域の土壌の透水係数よりも大きいことにより、スクリーン３４からフィルター材３７に送出された水が、フィルター材３７の下端から天端まで行き亘る。これにより、浄化対象領域における給気注水井戸１３０の下端から天端までの範囲において注水がなされる。即ち、揚水井戸２０と給気注水井戸１３０との間において、これらの下端から地表面の近傍までの範囲で、給気注水井戸１３０から揚水井戸２０への横方向の水の流れが形成される。よって、不透水層の存在にかかわらず、浄化対象領域における汚染範囲Ａ以深から地表面までの全域に注水される。
【００４０】
ここで、アスファルト層１４０と遮水壁１１２と難透水層１０１とにより囲まれた気密状態の空間が形成された状態で、揚水井戸２０から空気が吸引されることにより、当該空間が負圧になる。これにより、給気注水井戸１３０から揚水井戸２０への通水が促進されるため、注水時間を短縮できる。
【００４１】
以上説明した揚水工程と注水工程とを繰り返すことにより、浄化対象領域の汚染を希釈化していく。ここで、揚水工程と注水工程とを個別に実施し、揚水工程において、汚染した間隙水を真空吸引することにより、揚水と注水とを同時に実施する通水洗浄に比して、汚染した間隙水を効率よく除去でき、地下水を浄化するのに要する時間を短縮できる。
【００４２】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、上述の実施形態では、浄化対象領域が不透水層等の互層が存在する互層地盤の場合を例に挙げたが、これに限らず、浄化対象領域の深層側から注水して地表面近傍から揚水するのに不適な地盤や、横方向へ通水することが効果的な地盤等（例えば、難透水層が広範囲に広がる地盤等）にも、本発明を適用できる。
【００４３】
また、上述の実施形態では、注水井戸や給気注水井戸を、真空ディープウェルと同様の構成としたが、これらは、ウェルポイントやペーパードレーンやサンドドレーン等の各種ドレーンと同様の構成としてもよい。さらに、上述の実施形態では、浄化対象領域の地表面を覆う気密性の有る層を、遮水シートやアスファルト層としたが、鋼板や樹脂製の板等の他の気密性の有るシート材、板材や舗装材等も採用できる。
【符号の説明】
【００４４】
１０  地下水浄化システム、１２  遮水壁、２０  揚水井戸、２２  水中ポンプ、２３  ケーシング、２４  スクリーン、２５  揚水管、２６  孔、２７  フィルター材、２８  吸引管、２９  蓋、３０  注水井戸、３３  ケーシング、３４  スクリーン、３５  注水管、３６  孔、３７  フィルター材、３９  蓋、４０  遮水シート、５０  注水設備、５２  ヘッダーパイプ、６０  真空吸引設備、６１  水処理設備、６２  ヘッダーパイプ、６４  ヘッダーパイプ、１００  地下水浄化システム、１０１  難透水層、１１２  遮水壁、１３０  給気注水井戸、１４０  アスファルト層、１７２  分岐管、１７４  開閉弁
【図２】
2015217351.tif 000003
【図３】
2015217351.tif 000004
【図６】
2015217351.tif 000005
【図１】
2015217351.tif 000006
【図４】
2015217351.tif 000007
【図５】
2015217351.tif 000008
【図７】
2015217351.tif 000009
【図８】
2015217351.tif 000010